(57)【特許請求の範囲】
【請求項１】
車輌のドア窓枠の近傍に固定配置されるミラー支持部と、前記ミラー支持部のシャフトに回動自在に軸支されるミラー部とを備え、前記ミラー部の基部が前記シャフトを中心として起立位置と格納位置との間で回動され、
前記シャフトに回動自在に枢着されて前記ミラー部の基部に設けられた筒部と、
前記筒部の周面に形成された表示開口部と、前記シャフト面に設けられた警告表示部と、を有するドアミラーであって、
前記警告表示部は、前記筒部の回動により、前記ミラー部の格納位置において前記表示開口部を通して露出し視認できる状態になることを特徴とするドアミラー。
【請求項２】
車輌のドア窓枠の近傍に固定配置されるミラー支持部と、前記ミラー支持部のシャフトに回動自在に軸支されるミラー部とを備え、前記ミラー部の基部が前記シャフトを中心として起立位置と格納位置との間で回動され、
前記シャフトに回動自在に枢着されて前記ミラー部の基部に設けられた筒部と、
前記筒部の下方に設けた前掛け状のカバーと、
前記シャフト面に設けられた警告表示部と、を有するドアミラーであって、
前記警告表示部は、前記筒部の回動により、前記ミラー部の起立位置において前記カバーで覆われ、格納位置において前記カバーが連動回転して露出状態になることを特徴とするドアミラー。
【請求項３】
車輌のドア窓枠の近傍に固定配置されるミラー支持部と、前記ミラー支持部のシャフトに回動自在に軸支されるミラー部とを備え、前記ミラー部の基部が前記シャフトを中心として起立位置と格納位置との間で回動され、
前記シャフトに回動自在に枢着されて前記ミラー部の基部に設けられた筒部と、
前記筒部の下方に設けられその一部に透明部を設けた完全円筒状のカバーと、
前記シャフト面に設けられた警告表示部と、を有するドアミラーであって、
前記警告表示部は、前記筒部の回動により、前記ミラー部の格納位置において前記透明部を通して露出し視認できる状態になることを特徴とするドアミラー。
【発明の詳細な説明】
【技術分野】
【０００１】
本発明は車輌に具備されるドアミラーに関し、特に、駐車中における車輌の車幅確認を確実にして交通安全に寄与することができるドアミラーに関する。
【背景技術】
【０００２】
従来、車輌のドアに設けられるドアミラーは後方の車輌あるいは障害物の確認用に供されている。一方、夜間走行時や視界不良時の走行における対向車輌の車幅確認は車幅灯によりなされるが、この車幅灯はドアミラーを含めた実際の車輌幅より内側に配置されており、対向車輌の車幅が実際より小さく誤認識され、交通安全上の問題があった。このような車輌の視認性を向上させるための技術として、例えば図９に示すようにドアミラー前方面に光反射板を設けるようにしたドアミラーが記載されている（特許文献１参照）。
また、特許文献２には、夜間においてドアミラーを格納することによって、ドアミラーに装置されたＬＥＤが発光して車輌の前方及び後方より視認できる安全性向上ランプが記載されている。
特許文献３には、主にドアミラーを格納したり起立させたりする時に、近傍の通行者に注意を促すこと、走行中に点灯させて車輌が他の走行車輌から確認されやすくすること及び発光する色を変えて加飾性を向上させる電動ドアミラー照明装置が記載されている。
【特許文献１】実用新案登録第３０１３６６６号公報
【特許文献２】特開平６−１０７０６６号公報
【特許文献３】特開２００２−３７０５７５公報
【発明の開示】
【発明が解決しようとする課題】
【０００３】
しかしながら、特許文献１に記載の光反射板を備えた従来のドアミラーでは、車輌走行時にその視認効果を発揮するので、狭い路地などの駐車中にドアミラーを窓側に折り畳んだ格納状態にした場合には、前方からの視認性がなく、対向車輌などと接触してトラブルの要因となりやすいという課題があった。また、駐車中において、視認性を高めるためにランプなどでドアミラーに発光部を設けた場合にはバッテリーの消耗が大きく、長時間に亘って使用できないという問題があった。
【０００４】
また、特許文献２に記載の安全性向上ランプは、ドアミラー起立時にも常時ＬＥＤが露出していて、特に内側（運転席側）のＬＥＤは、昼間走行中に太陽光の反射によって太陽光がドライバーの視線に入る恐れがあり、また、外側のＬＥＤは同様に、対向車のドライバーの視線に入る恐れがあり、一瞬目がくらんで安全運転を損なう危険な場面が想定され問題がある。
特許文献３に記載の電動ドアミラー照明装置は、ＬＥＤは起立時及び格納時共、常時露出していて視認できる状態になっているので、前記特許文献２と同様に理由により、ドライバー及び対向車のドライバーの安全運転を損なう危険な場面が想定され問題がある。
【０００５】
本発明は前記従来の課題を解決するためになされたもので、駐車中における車輌の視認性に優れると共に、バッテリーの消耗を抑制して長時間に亘って視認効果を維持させることができるドアミラーを提供することを目的とする。
【課題を解決するための手段】
【０００６】
本発明の請求項１に記載のドアミラーは、車輌のドア窓枠の近傍に固定配置されるミラー支持部と、前記ミラー支持部のシャフトに回動自在に軸支されるミラー部とを備え、前記ミラー部の基部が前記シャフトを中心として起立位置と格納位置との間で回動され、前記シャフトに回動自在に枢着されて前記ミラー部の基部に設けられた筒部と、前記筒部の周面に形成された表示開口部と、前記シャフト面に設けられた警告表示部と、を有するドアミラーであって、
前記警告表示部は、前記筒部の回動により、前記ミラー部の格納位置において前記表示開口部を通して露出し視認できる状態になることを特徴とする。
請求項２に記載のドアミラーは、車輌のドア窓枠の近傍に固定配置されるミラー支持部と、前記ミラー支持部のシャフトに回動自在に軸支されるミラー部とを備え、前記ミラー部の基部が前記シャフトを中心として起立位置と格納位置との間で回動され、前記シャフトに回動自在に枢着されて前記ミラー部の基部に設けられた筒部と、前記筒部の下方に設けた前掛け状のカバーと、前記シャフト面に設けられた警告表示部と、を有するドアミラーであって、前記警告表示部は、前記筒部の回動により、前記ミラー部の起立位置において前記カバーで覆われ、格納位置において前記カバーが連動回転して露出状態になることを特徴とする。
請求項３に記載のドアミラーは、車輌のドア窓枠の近傍に固定配置されるミラー支持部と、前記ミラー支持部のシャフトに回動自在に軸支されるミラー部とを備え、前記ミラー部の基部が前記シャフトを中心として起立位置と格納位置との間で回動され、前記シャフトに回動自在に枢着されて前記ミラー部の基部に設けられた筒部と、前記筒部の下方に設けられその一部に透明部を設けた完全円筒状のカバーと、前記シャフト面に設けられた警告表示部と、を有するドアミラーであって、前記警告表示部は、前記筒部の回動により、前記ミラー部の格納位置において前記透明部を通して露出し視認できる状態になることを特徴とする。
【発明の効果】
【０００９】
本発明のドアミラーは、駐車中においてミラー部をその起立状態から格納状態に切り換える操作に連動して、警告表示部が外部に露出して、車輌前方、側方及び後方からの車輌視認性を発揮させることができる。なお、ミラー部には、その起立位置と格納位置とにそれぞれ回動させるための電動モータを備えたミラー駆動部を設けたり、ミラー部のシャフト軸を回動方向に付勢させるための弾性手段とシャフト軸を起立位置と格納位置で停止させる位置決め手段などを備えた手動機構を設けたりすることができる。
また、本発明のドアミラーは、駐車中において表示開口部に警告表示部が外部に表示されるので、簡単な構造で車輌視認性に優れている。
【発明を実施するための最良の形態】
【００１０】
（実施の形態１）
図１（ａ）は本発明の実施の形態１に係るドアミラーの起立状態の斜視図であり、図１（ｂ）はドアミラーの格納状態の斜視図であり、（ｃ）はドアミラーの格納状態の側面図であり、図２（ａ）はドアミラーの起立状態の平面図であり、図２（ｂ）はその格納状態の平面図である。
図１及び図２において、実施の形態１のドアミラー１０は、車輌のドア窓枠の近傍に固定配置されたミラー支持部１１によって支持されている。ミラー部１２は、ミラー支持部１１から突設されたシャフト１２ａに回動自在に軸支されている。
そして、ミラー部１２の起立位置（図１（ａ）、図２（ａ）の状態）において、ミラー支持部１１の支持面１１ａと対向するミラー部１２の起立位置設定面１２ｂ、シャフトの外側面１４（図１においてシャフト１２ａの車体から外方に延出した先端部をいう）のいずれかの面又は両面に、光反射体や発光体などからなる警告表示部１３が貼着又は埋設されている。ここで、対向するとは、接触している場合、互いに僅かの空間を有している場合、など、接触、非接触を問わない。
【００１１】
ドアミラー１０は車輌の前方左右のドア窓枠にそれぞれミラー支持部１１を介して取り付けられ、ミラー部１２に内蔵された図示しない電動モータの駆動力により全体がシャフト１２ａを軸として、起立状態と格納状態との間を所定角度で往復回動できるようになっている。
また、ミラー部１２内には車内の操作部によってその配置角度がリモート操作される可動ミラーを備えている。ここで格納状態とは、駐車中などにおいて適用され、ドアミラーを窓側に折り畳み、ミラー面を車体に対してほぼ平行状態にする状態をいう。
なお、本発明のドアミラー１０は、ドア窓枠に取り付けられたドアミラーのみならず、車輌のフェンダーに取り付けられるフェンダーミラーなども同様に適用することができ、本発明では類似のミラーを含めてドアミラーとして説明する。
【００１２】
ミラー部１２は、図１（ａ）や図２（ａ）に示すように、起立状態（走行中などにおいて適用される状態をいい、ミラー面を車体に対してほぼ直角状態にして運転者が後方を確認出来る状態をいう）において、車輌に近接しているミラー部基部１２ｃ側に設けられた起立位置設定面１２ｂがミラー支持部１１の支持面１１ａに対向して起立固定されるようになっている。
【００１３】
警告表示部１３としては、ランプやＬＥＤ等の発光体、光を反射する塗料、蛍光塗料、反射テープ、反射鏡等の光反射体が挙げられるが、本発明では、これらのものに限定されるものではなく、外部から視認できるものであればよい。本発明のドアミラーは、これらの光反射体がミラー部１２の起立位置設定面１２ｂ、シャフト１２ａの外側面１４、のいずれか、又は両面に貼着、埋設などの手段で固着されている。
警告表示部１３は、走行中などの起立状態では、支持面１１ａと起立位置設定面１２ｂとが、シャフトの外側面１４とミラーの下面１５とが、それぞれ互いに対向して隠された状態となっており外部からは視認できないが、ドアミラー１０を格納状態に回動させると、ミラー部１２の起立位置設定面１２ｂ及びシャフトの外側面１４に固着した警告表示部１３が露出され外部から視認できる状態になる。
ここで、警告表示部１３は、起立位置設定面１２ｂ、シャフトの外側面１４だけでなく、必要に応じてミラー支持部１１の支持面１１ａなどにも貼着したり埋設したりして設け、車輌側方及び後方への反射にも適用することができる。
【００１４】
なお、格納位置において露出した警告表示部１３に対向する位置（例えば、支持面１１ａ）に照明装置（例えば、ランプやＬＥＤ等）を設け、この照明装置により警告表示部１３を照射し、警告表示部が反射して間接的に発光するようにしてもよい。
このようにすることで、対向車の光が当たらなくても、自らの照明装置によって警告表示部を光らせて視認性の向上を図ることができる。
また、反射体を間接的に光らせるので、発光体のみの場合よりも発光体の面積を減少させることができ、コスト削減に寄与できる。
さらに、例えば支持面１１ａに設けた照明装置からの光がドアミラーのミラー面に当たり、その光が運転席側フロントドアガラスに写し出され（反射して）、視認できる面積が拡大し、早期発見が可能になり安全性の向上が期待できる。
【００１５】
実施の形態１のドアミラー１０は以上のように構成されるので、駐車中においてミラー部１２を運転時の起立状態から格納状態に切り換える動きに連動して、起立位置設定面１２ｂ、や支持面１１ａ、又はシャフト外側面１４のいずれか１又は２以上に貼着又は埋設された光反射体などの警告表示部１３を外部に露出させることにより、車輌前方や側方及び後方からの視認性を発揮させることができ、他の通行車輌への注意を喚起し安全性を確保することができる。
【００１６】
（実施の形態２）
次に、本発明の実施の形態２に係るドアミラーについて説明する。図３（ａ）は実施の形態２に係るドアミラーの起立状態の斜視図であり、図３（ｂ）はドアミラーの格納状態の斜視図である。
図３において、実施の形態２のドアミラー２０は、車輌のドア窓枠の近傍に突設されたロッド状のミラー支持部２１によって支持されている。ミラー部２２は、その基端下側に形成された筒部２２ａにミラー支持部２１から上方に突設されたシャフト２１ａに枢着して回動自在に軸支されている。
そして、筒部２２ａの周面には表示開口部２３が形成され、ミラー部２２の格納位置において表示開口部２３を通してミラー支持部２１のシャフト２１ａ面に設けられた光反射テープや蛍光塗料などからなる光反射体などの警告表示部２４が視認できるようになっている。
【００１７】
筒部２２ａの周面に形成された表示開口部２３は、ミラー部２２がその格納位置に回動したときに（図３（ｂ）の状態）、車輌前方から視認できる位置に配設され、格納位置における表示開口部２３が位置するシャフト面に、光反射体やＬＥＤなどの発光体からなる警告表示部２４が埋設又は接着などの手段で固着されている。
なお、実施の形態２のドアミラー２０は、例えば図４に示すように、表示開口部２３の下方枠を切除したものでもよい。また、図５に示すような、筒部２２ａ下方に前掛け状のカバー２５を設け、ミラー部２２の起立状態において警告表示部２４をカバー２５で覆い、格納時には、カバー２５が連動回転して図示において右方向に移動することにより、警告表示部２４を露出させるようにしてもよい。
さらに、ミラー部２２の回転に連動する覆い蓋を設け、起立状態において警告表示部２４を隠蔽しておき、格納時に警告表示部２４を露出させる他の機構を設けることも出来る。
【００１８】
また、警告表示部２４としてＬＥＤやランプなどの発光体を適用して、車輌やドアミラー２０に内蔵させたタイマーや光検知センサにより夜昼の時間帯を判別して、この判別結果によってミラー格納状態にあるドアミラー２０の警告表示部２４に配置された発光体を制御して、その点滅発光状態や連続発光状態にさせることも可能である。
例えば、マイクロコンピュータなどからなる制御部を用いて午後５時から午前５時までのなど時間を夜時間帯として設定しておき、この夜時間帯でドアミラー２０が格納位置にあることを判定条件として、警告表示部２４を発光させるようにすることができる。
また、このようなタイマー操作によらず、車輌やドアミラー２０に内蔵された光検知センサによって、周囲の明るさが所定の設定値より低い場合を判定条件として、警告表示部２４の発光操作を制御することも可能である。
なお、例えばシャッター付きのガレージの中に駐車する場合など、発光が不要な場合には、ドアロックに使用するリモコンやカードキーに設けられたスイッチにより発光を停止することもできる。
【００１９】
図３（ｂ）、図４（ｂ）に示す表示開口部２３は、枠の一部を切欠いた部分に、例えばアクリル透明板やガラスなどの透明体を埋め込むこともできる。
このような切欠き部を充填することにより、高速走行時での風切り音を防止することができる。
また、図５に示すような筒部２２ａ下方に設けたカバー２５を、完全円筒状（一部前掛け状ではなく）にして、その完全円筒状の一部に透明部を設け、ドアミラー２０の回動により、警告表示部２４を外部から見えるようにしたり見えなくしたりすることができる。このように完全円筒状にすることにより、段差部分をなくし高速走行時での風切り音を防止することができる。
【００２０】
以上のように実施の形態２のドアミラー２０は構成されているので、駐車した車輌のミラー部２２を図３（ａ）の起立位置から図３（ｂ）の格納位置に回動させるだけで、表示開口部２３に警告表示部２４を長時間に亘って表示させることができると共に、対向車輌などに対して夜間における自らの車幅間隔を明示でき、省エネルギー性と交通安全性に優れた環境を提供することができる。
【００２１】
（実施の形態３）
次に、本発明の実施の形態３に係るドアミラーについて説明する。
図６は、実施の形態３に係るドアミラーの起立状態の斜視図である。図６において、実施の形態３のドアミラー３０は、三角板状のミラー支持部１１から突設されたシャフトに回動自在に軸支されている。実施の形態３のドアミラー３０は、方向指示ランプ３２及び警告表示部３３が、ミラー部３１の内部に一体的に埋め込まれて、全体が透明なカバー３４で覆われている。警告表示部３３は、ミラー部３１の支持面１１ａ側（起立状態において車両側）だけでなく、方向指示ランプ３２側方向にも回り込んで設けられており、前方からも視認できるように設けられている。
図示において、ミラー部３１の右端側に設けられた警告表示部３３には、その格納位置においてスイッチが作動して発光する発光ランプなどが埋設されており、カバー３４を通して格納状態で前方からの視認ができるようになっている。なお、カバー３４は透明又は半透明の材料で形成されていることにより、起立状態では方向指示ランプ３２及び警告表示部３３の視認が容易になり、格納状態では警告表示部３３の視認が容易になり望ましい。
ここで、実施の形態３のドアミラー３０はその主要部の構成が実施の形態１のドアミラー１０と同様であるので、同様の機能を有するものについては同一の符号を付してその説明を省略している。
【００２２】
実施の形態３のドアミラー３０は、ミラー部３１の格納時に周囲に対して視認性を維持させる警告表示部３３が備えられていることに加えて、走行中に車線変更などの方向を指示する方向指示ランプ３２を有している。これによって、車輌における走行時及び駐車時における良好な視認性に加えて、新たなデザイン性を付加することができる。
さらに、図６において、ドアミラー３０の先端部（ミラー起立時において車体側とは反対側）に、透明カバーで覆われた第２警告表示部３５をミラー部３１の内部に一体的に埋め込んで設けることもできる。第２警告表示部３５を設け、ミラー格納位置においてスイッチが作動して発光するようにすることにより、車両側方や後方からの視認性を高めことができ、さらに安全性が増す。
なお、実施の形態３のドアミラー３０は、図７に示すように、警告表示部３３、方向指示ランプ３２、第２警告表示部３５を横一列細幅状に、ミラー部３１の内部に一体的に埋め込んで設けることもできる。
【００２３】
（実施の形態４）
次に、本発明の実施の形態４に係るドアミラーについて説明する。図８は実施の形態４に係るドアミラーの起立状態の斜視図である。
図８において、実施の形態４のドアミラー４０は、車輌のドア窓枠の近傍に突設されたロッド状のミラー支持部４１によって支持されている。ミラー部４２は、その基端下側に形成された筒部４２ａにミラー支持部４１から上方に突設されたシャフト４１ａに枢着して回動自在に軸支されている。
そして、筒部４２ａの下部周面には帯状に形成された警告表示部４４が、ドアミラー４０の起立状態、格納状態にかかわらず常時視認できるように露出して設けられている。
このような警告表示部４４は、図８に示すように、筒部４２ａだけではなく、シャフト４１ａに警告表示部４４ａとして設けられていてもよい。また、図８においては、シャフト４１ａの全周に警告表示部を表示しているが、ドアーミラーの取付形態によっては、シャフト４１ａが省略され、ミラー支持部４１に直にミラー部４２ーが取り付けられている場合もあり、この場合は、ミラー支持部４１の外側半周にのみ警告表示部を設けて表示するものであってもよい。
【００２４】
なお、前述の実施の形態において、警告表示部や第２警告表示部に用いたＬＥＤやランプを白色にして、それらを覆うカバーを色付のものにすることもできるし、ＬＥＤやランプを色付のものにして、カバーを無色透明のものにすることもできる。さらに、ＬＥＤやランプのみでカバーを設けないものでもよい。また、警告表示部や第２警告表示部に用いたＬＥＤやランプが消耗した場合は、警告表示部や第２警告表示部そのものを交換するか、ＬＥＤやランプのみを取り替えることができる。
【産業上の利用可能性】
【００２５】
本発明によれば、駐車中においてミラー部を運転時の起立状態から格納状態に切り換える操作に連係して、起立位置設定面や支持面等に貼着又は埋設された光反射体が外部に露出して、車輌前方からの視認性を発揮させることができる。
また、駐車中において表示開口部に警告表示部等が外部に表示されるので、簡単な構造で車輌視認性に優れたドアミラーや光反射体を提供することができる。
さらに、ドアミラーにおける警告表示部等においてその発光が必要な環境条件のときだけ発光体を発光させることができ、バッテリーの消耗を抑制して長時間に亘って視認効果を維持させることができる。
【図面の簡単な説明】
【００２６】
【図１】（ａ）は本発明の実施の形態１に係るドアミラーの起立状態の斜視図であり、（ｂ）は同ドアミラーの格納状態の斜視図であり、（ｃ）はドアミラーの格納状態の側面図である。
【図２】（ａ）はドアミラーの起立状態の平面図であり、（ｂ）はその格納状態の平面図である。
【図３】（ａ）は本発明の実施の形態２に係るドアミラーの起立状態の斜視図であり、（ｂ）は同ドアミラーの格納状態の斜視図である。
【図４】実施の形態２の他の形態に係るドアミラーの斜視図である。
【図５】実施の形態２の他の形態に係るドアミラーの斜視図である。
【図６】本発明の実施の形態３に係るドアミラーの起立状態の斜視図である。
【図７】本発明の実施の形態３に係るドアミラーの他の態様の斜視図である。
【図８】本発明の実施の形態４に係るドアミラーの起立状態の斜視図である。
【図９】従来技術のドアミラーの斜視図である。
【符号の説明】
【００２７】
１０  実施の形態１のドアミラー
１１  ミラー支持部
１１ａ  支持面
１２  ミラー部
１２ａ  シャフト
１２ｂ  起立位置設定面
１２ｃ  ミラー部基部
１３  警告表示部
１４  シャフト外側面
１５  ミラーの下面
２０  実施の形態２のドアミラー
２１  ミラー支持部
２１ａ  シャフト
２２  ミラー部
２２ａ  筒部
２３  表示開口部
２４  警告表示部
２５  カバー
３０  実施の形態３のドアミラー
３１  ミラー部
３２  方向指示ランプ
３３  警告表示部
３４  カバー
３５  第２警告表示部
４０  実施の形態４のドアミラー
４１  ミラー支持部
４２  ミラー部
４２ａ  筒部
４１ａ  シャフト
４４、４４ａ  警告表示部
【要約】
【課題】駐車中における車輌の視認性に優れると共に、バッテリーの消耗を抑制して長時間に亘って視認効果を維持させることもできるドアミラーを提供する。
【解決手段】車輌ドア窓枠の近傍に固定配置されるミラー支持部１１と、ミラー支持部１１のシャフト１２ａに回動自在に軸支されるミラー部１２とを備え、ミラー部１２の基部がシャフト１２ａを中心として起立位置と格納位置との間で回動されるドアミラー１０であって、ミラー部１２の起立位置においてミラー支持部１１の支持面１１ａとミラー部１２の起立位置設定面１２ｂとが互いに対向して配設され、ミラー部１２の格納位置において露出する起立位置設定面１２ｂ、支持面１１ａ及びシャフト外側面１４に光反射体や発光体などの警告表示部１３が設けられている。
【選択図】  図１
【図１】
0003574852.tif 000002
【図２】
0003574852.tif 000003
【図３】
0003574852.tif 000004
【図４】
0003574852.tif 000005
【図５】
0003574852.tif 000006
【図６】
0003574852.tif 000007
【図７】
0003574852.tif 000008
【図８】
0003574852.tif 000009
【図９】
0003574852.tif 000010